(57)【要約】  充電台（４００）は、床面に設置される台座部（４０１）と、台座部（４０１）の上に設けられた柱状のタワー部（４０２）と、タワー部（４０２）に設けられ、縦型の第１電気掃除機（１００）を支持可能な第１支持部（４０３）と、タワー部（４０２）に設けられ、縦型の第２電気掃除機（２００）を支持可能な第２支持部（４０４）と、を備える。掃除機システム１は、上記のように構成された充電台（４００）と、縦型の第１電気掃除機（１００）と、縦型の第２電気掃除機（２００）と、を備える。
2020090008.tif 000002
【特許請求の範囲】
【請求項１】
床面に設置される台座部と、
前記台座部の上に設けられた柱状のタワー部と、
前記タワー部に設けられ、縦型の第１の電気掃除機を支持可能な第１支持部と、
前記タワー部に設けられ、縦型の第２の電気掃除機を支持可能な第２支持部と、
を備えた充電台。
【請求項２】
前記第１の電気掃除機には、第１の電動送風機が内蔵された第１の本体と、当該第１の本体に着脱自在であり被清掃面上の塵埃を除去する第１の掃除具と、が含まれ、
前記第２の電気掃除機には、第２の電動送風機が内蔵された第２の本体と、当該第２の本体に着脱自在であり被清掃面上の塵埃を除去する第２の掃除具と、が含まれ、
前記第１の掃除具の仕様は、前記第２の掃除具の仕様とは異なる請求項１に記載の充電台。
【請求項３】
前記第１支持部によって支持された前記第１の電気掃除機は、前記第２支持部によって支持された前記第２の電気掃除機の隣に並ぶ請求項１または請求項２に記載の充電台。
【請求項４】
前記第１支持部によって前記第１の電気掃除機が支持されて且つ前記第２支持部によって前記第２の電気掃除機が支持されている際、前記第１の掃除具は前記第２の掃除具の隣に並び、平面視における前記第１の掃除具の長手方向と平面視における前記第２の掃除具の長手方向とが同一の方向に沿っている請求項２に記載の充電台。
【請求項５】
前記タワー部には、平面視における当該タワー部の中心に向かって窪んだ第１の凹部および第２の凹部が形成され、
前記第１支持部は前記第１の凹部に設けられ、
前記第２支持部は前記第２の凹部に設けられている請求項１から請求項４の何れか１項に記載の充電台。
【請求項６】
床面に設置される台座部および当該台座部の上に設けられた柱状のタワー部を有する充電台本体と、
前記タワー部に設けられ、電動送風機が内蔵された縦型の電気掃除機の本体を支持可能な支持部と、
を備え、
前記本体には、被清掃面上の塵埃を除去する第１の掃除具および被清掃面上の塵埃を除去する第２の掃除具が着脱自在である本体接続部が形成され、
前記第１の掃除具には、前記本体接続部に接続可能な第１掃除具接続部が形成され、
前記第２の掃除具には、前記本体接続部に接続可能な第２掃除具接続部が形成され、
前記支持部は、前記本体接続部が下方を向いた状態で前記本体を支持可能に構成され、
前記充電台本体は、前記第１掃除具接続部が上方を向いた状態で前記第１の掃除具を支持可能で且つ前記第２掃除具接続部が上方を向いた状態で前記第２の掃除具を支持可能に構成されている充電台。
【請求項７】
前記第１の掃除具の仕様は、前記第２の掃除具の仕様とは異なる請求項６に記載の充電台。
【請求項８】
前記第１の掃除具および前記第２の掃除具が前記充電台本体に支持されている際、前記タワー部は当該第１の掃除具と当該第２の掃除具との間に位置しており、平面視における当該第１の掃除具の長手方向と平面視における当該第２の掃除具の長手方向とが同一の方向に沿っている請求項６または請求項７に記載の充電台。
【請求項９】
前記タワー部には、平面視における当該タワー部の中心に向かって窪んだ凹部が形成され、
前記支持部は前記凹部に設けられている請求項６から請求項８の何れか１項に記載の充電台。
【請求項１０】
空気を吸いこむための吸気口と、
前記吸気口から吸い込まれた空気中の塵埃を捕集するフィルターと、
前記フィルターを通過した空気を排出するための排気口と、
前記吸気口から前記排気口へ向かう気流を発生させるファンと、
を備えた請求項１から請求項９の何れか１項に記載の充電台。
【請求項１１】
請求項１に記載の充電台と、
前記第１の電気掃除機と、
前記第２の電気掃除機と、
を備える電気掃除機システム。
【請求項１２】
請求項６に記載の充電台と、
前記電気掃除機の前記本体と、
前記第１の掃除具と、
前記第２の掃除具と、
を備える電気掃除機システム。
【請求項１３】
請求項２または請求項７に記載の充電台と、
前記第１の掃除具と、
前記第２の掃除具と、
を備え、
前記第１の掃除具または前記第２の掃除具は、被清掃面上の塵埃を掻き上げて除去する回転ブラシを備えている電気掃除機システム。
【請求項１４】
請求項２または請求項７に記載の充電台と、
前記第１の掃除具と、
前記第２の掃除具と、
を備え、
前記第１の掃除具または前記第２の掃除具は、被清掃面上の塵埃を吸着して除去する拭き清掃体を備えている電気掃除機システム。
【請求項１５】
前記充電台は、
空気を吸いこむための吸気口と、
前記吸気口から吸い込まれた空気中の塵埃を捕集するフィルターと、
前記フィルターを通過した空気を排出するための排気口と、
前記吸気口から前記排気口へ向かう気流を発生させるファンと、
を備えている請求項１１から請求項１４の何れか１項に記載の電気掃除機システム。
【発明の詳細な説明】
【技術分野】
【０００１】
本発明は、充電台および電気掃除機システムに関するものである。
【背景技術】
【０００２】
特許文献１に、充電式掃除機が記載されている。この充電式掃除機は、充電台によって支持される縦型の電気掃除機である。また、特許文献１に記載の充電式掃除機は、被清掃面上の塵埃を除去する掃除具として、塵埃を吸い込む吸込部を備えている。
【先行技術文献】
【特許文献】
【０００３】
【特許文献１】日本特開２００４−１２１４６９号公報
【発明の概要】
【発明が解決しようとする課題】
【０００４】
特許文献１に記載の充電台は、１台の充電式掃除機を支持することができるように構成されている。特許文献１に開示される従来技術においては、複数台の充電式掃除機を設置する場合には、複数台の充電台を設置するスペースが必要であった。また、特許文献１に開示される従来技術においては、複数の吸込部を設置する場合にも、複数台の充電台を設置するスペースが必要であった。【０００５】
本発明は、上記のような課題を解決するためになされたものである。本発明の目的は、充電台によって支持される縦型の電気掃除機を複数台設置する場合に必要な設置スペースを、従来に比べてより小さくすることである。また、本発明の目的は、充電台によって支持される縦型の電気掃除機の掃除具を複数個設置する場合に必要な設置スペースを、従来に比べてより小さくすることである。
【課題を解決するための手段】
【０００６】
本発明に係る充電台は、床面に設置される台座部と、台座部の上に設けられた柱状のタワー部と、タワー部に設けられ、縦型の第１の電気掃除機を支持可能な第１支持部と、タワー部に設けられ、縦型の第２の電気掃除機を支持可能な第２支持部と、を備える。本発明に係る電気掃除機システムは、上記のように構成された充電台と、縦型の第１の電気掃除機と、縦型の第２の電気掃除機と、を備える。
また、本発明に係る充電台は、床面に設置される台座部および当該台座部の上に設けられた柱状のタワー部を有する充電台本体と、タワー部に設けられ、電動送風機が内蔵された縦型の電気掃除機の本体を支持可能な支持部と、を備える。電気掃除機の本体には、被清掃面上の塵埃を除去する第１の掃除具および被清掃面上の塵埃を除去する第２の掃除具が着脱自在である本体接続部が形成される。第１の掃除具には、本体接続部に接続可能な第１掃除具接続部が形成され、第２の掃除具には、本体接続部に接続可能な第２掃除具接続部が形成される。支持部は、本体接続部が下方を向いた状態で電気掃除機の本体を支持可能に構成される。充電台本体は、第１掃除具接続部が上方を向いた状態で第１の掃除具を支持可能で且つ第２掃除具接続部が上方を向いた状態で第２の掃除具を支持可能に構成されている。本発明に係る電気掃除機システムは、上記のように構成された充電台と、電動送風機が内蔵された縦型の電気掃除機の本体と、第１の掃除具と、第２の掃除具と、を備える。
【発明の効果】
【０００７】
本発明によれば、充電台によって支持される縦型の電気掃除機を複数台設置する場合に必要な設置スペースを、従来に比べてより小さくすることができる。
また、本発明によれば、充電台によって支持される縦型の電気掃除機の掃除具を複数個設置する場合に必要な設置スペースを、従来に比べてより小さくすることができる。
【図面の簡単な説明】
【０００８】
【図１】実施の形態１の電気掃除機システムの斜視図である。
【図２】実施の形態１における、第１電気掃除機が充電台から取り外された状態の電気掃除機システムの斜視図である。
【図３】実施の形態１の第２電気掃除機の斜視図である。
【図４】実施の形態１の第２ヘッド部の斜視図である。
【図５】実施の形態１の第１ヘッド部の斜視図である。
【図６】実施の形態１の電気掃除機システムの平面図である。
【図７】実施の形態１の電気掃除機システムの第１の変形例を示す平面図である。
【図８】実施の形態１の電気掃除機システムの第２の変形例を示す正面図である。
【図９】実施の形態１の電気掃除機システムの第２の変形例を示す正面図である。
【図１０】実施の形態２の電気掃除機システムの正面図である。
【図１１】実施の形態２の電気掃除機システムの正面図である。
【図１２】実施の形態２の電気掃除機システムの平面図である。
【発明を実施するための形態】
【０００９】
以下、図面を参照して、実施の形態について説明する。各図における同一の符号は、同一の部分または相当する部分を示す。また、本開示では、重複する説明については適宜に簡略化または省略する。なお、本発明は、以下の各実施の形態によって開示される構成のあらゆる組み合わせを含み得るものである。
【００１０】
実施の形態１．
図１は、実施の形態１の電気掃除機システム１の斜視図である。本実施の形態の電気掃除機システム１は、図１に示すように、第１電気掃除機１００と、第２電気掃除機２００と、充電台４００と、を備えている。
【００１１】
第１電気掃除機１００は、コードレスタイプの縦型の電気掃除機である。第２電気掃除機２００は、コードレスタイプの縦型の電気掃除機である。縦型の電気掃除機とは、スティック型の電気掃除機とも呼ばれるものである。コードレスタイプの第１電気掃除機１００の内部には、図示しない二次電池が内蔵されている。同様に、コードレスタイプの第２電気掃除機２００の内部には、図示しない二次電池が内蔵されている。
【００１２】
充電台４００は、自立可能である。充電台４００は、例えば、室内等の床面に設置されて使用される。自立可能な充電台４００は、第１電気掃除機１００および第２電気掃除機２００を同時に支持可能に構成されている。第１電気掃除機１００および第２電気掃除機２００は、例えば、直立した状態で充電台４００に支持される。
【００１３】
本実施の形態における第１電気掃除機１００は、縦型の第１の電気掃除機の一例である。また、本実施の形態における第２電気掃除機２００は、縦型の第２の電気掃除機の一例である。第１電気掃除機１００は、第２電気掃除機２００とは別体の電気掃除機である。第１電気掃除機１００の仕様は、例えば、第２電気掃除機２００の仕様とは異なる。なお、第１電気掃除機１００の仕様は、第２電気掃除機２００の仕様と同じであってもよい。
【００１４】
第１電気掃除機１００および第２電気掃除機２００は、充電台４００に対して着脱自在である。図１に示す状態では、第１電気掃除機１００および第２電気掃除機２００は、共に充電台４００に取り付けられている。
【００１５】
本開示では、原則として、図１に示す状態を基準として、上下左右の各方向が定義される。換言すると、本開示では、原則として、第１電気掃除機１００および第２電気掃除機２００が水平面に設置された充電台４００に支持されている状態を基準として、上下左右の各方向が定義される。
【００１６】
図２は、実施の形態１における、第１電気掃除機１００が充電台４００から取り外された状態の電気掃除機システム１の斜視図である。図２に示す状態では、第１電気掃除機１００は、充電台４００から取り外されている。また、図２に示す状態では、第２電気掃除機２００は、充電台４００に取り付けられている。図２は、充電台４００から取り外された第１電気掃除機１００の外観と、充電台４００に取り付けられた第２電気掃除機２００および当該第２電気掃除機２００を支持している充電台４００の外観を示している。
【００１７】
充電台４００は、第１電気掃除機１００および第２電気掃除機２００を充電する機能を有する。充電台４００は、図示しない電源ケーブルによって、外部電源に接続可能である。第１電気掃除機１００および第２電気掃除機２００は、外部電源に接続された充電台４００に取り付けられることで充電される。
【００１８】
図１および図２を参照して、第１電気掃除機１００の構成について、より詳しく説明する。図１に示すように、第１電気掃除機１００は、主な構成要素として、第１掃除機本体部１０１、第１延長管１０２および第１ヘッド部１０３を備えている。
【００１９】
第１延長管１０２は、直線状に伸びる筒状の部材である。第１延長管１０２の一方の端部は、第１ヘッド部１０３に接続可能である。第１ヘッド部１０３は、第１延長管１０２に対して着脱自在である。また、第１延長管１０２の他方の端部は、第１掃除機本体部１０１に接続可能である。第１延長管１０２は、第１掃除機本体部１０１に対して着脱自在である。
【００２０】
第１ヘッド部１０３は、床面等の被清掃面上の塵埃を除去するためのものである。本開示では、ごみ、塵、埃、毛髪、繊維等のように、第１電気掃除機１００および第２電気掃除機２００の清掃対象となるものを総称して、「塵埃」と称する。また、本開示における被清掃面には、床面だけでなく、テーブルおよび布団等の物の上面等も含まれる。
【００２１】
第１ヘッド部１０３は、掃除具とも呼ばれる部品である。第１ヘッド部１０３は、第１延長管１０２を介して、第１掃除機本体部１０１に対して着脱自在に接続される。
【００２２】
本実施の形態における第１掃除機本体部１０１および第１延長管１０２は、本開示に係る第１の電気掃除機に含まれる第１の本体の一例である。また、第１ヘッド部１０３は、本開示に係る第１の本体に着脱自在な第１の掃除具の一例である。
【００２３】
なお、第１ヘッド部１０３は、第１延長管１０２を介さずに、第１掃除機本体部１０１に着脱自在に接続されてもよい。第１掃除機本体部１０１と第１延長管１０２とは、一体であってもよい。すなわち、本開示に係る第１の電気掃除機に含まれる第１の本体は、本実施の形態における第１延長管１０２のような着脱自在な筒状の部材を有していなくてもよい。
【００２４】
第１延長管１０２および第１ヘッド部１０３の内部には、外部から第１掃除機本体部１０１に塵埃を含む空気を流入させるための風路が形成される。なお、本開示では、塵埃を含む空気を、「含塵空気」と呼ぶ場合がある。また、本開示では、塵埃が取り除かれて清浄な状態になった空気を、「清浄空気」と呼ぶ場合がある。
【００２５】
第１掃除機本体部１０１は、含塵空気から塵埃を分離する機能を有する。また、第１掃除機本体部１０１は、分離した塵埃を捕集する機能を有する。第１掃除機本体部１０１は、一例として、第１把持部１０４、第１吸込管１０５、第１本体部１０６および第１集塵部１０７を備える。
【００２６】
第１把持部１０４は、第１電気掃除機１００の使用中に使用者が手で握る部材である。また、第１吸込管１０５は、直線状に伸びる筒状の部材である。第１吸込管１０５の内部には、第１ヘッド部１０３および第１延長管１０２を通過した含塵空気が流れる流路が形成されている。
【００２７】
第１本体部１０６には、第１電動送風機１０８が内蔵されている。第１電動送風機１０８は、第１電気掃除機１００が塵埃を吸引するための気流を発生させる機器である。第１把持部１０４は、第１電動送風機１０８が内蔵された第１本体部１０６に対して機械的に接続されている。第１吸込管１０５は、この第１把持部１０４に連続するように形成されている。一例として、第１吸込管１０５の下端は、第１本体部１０６の下端よりも下方に位置している。
【００２８】
第１集塵部１０７は、含塵空気から塵埃を分離して、当該塵埃を捕集する集塵装置である。第１集塵部１０７は、第１本体部１０６に着脱可能である。第１本体部１０６および第１集塵部１０７の内部には、第１吸込管１０５の内部の風路と通じる風路が形成されている。第１電動送風機１０８は、第１本体部１０６の内部の風路上に設置されている。
【００２９】
一例として、第１集塵部１０７は、第１電動送風機１０８が発生させた気流によって吸引された含塵空気を旋回させて、遠心力によって塵埃を分離する。一例として、第１集塵部１０７は、サイクロン分離機能を有する。なお、第１集塵部１０７は、サイクロン式の集塵装置に限られるものではない。第１集塵部１０７は、例えば、紙パック式の集塵装置であってもよい。
【００３０】
図２に示すように、第１把持部１０４には、第１操作表示部１０９が設けられている。第１操作表示部１０９は、使用者が、第１電気掃除機１００を操作するためのものである。第１操作表示部１０９には、例えば、第１電気掃除機１００の運転を制御するための複数のボタンが含まれる。第１電動送風機１０８は、使用者からの第１操作表示部１０９に対する操作に応じて、予め設定された動作を行う。また、第１操作表示部１０９は、第１電気掃除機１００の状態を使用者に対して表示するものでもある。第１操作表示部１０９には、例えば、ランプおよび液晶画面等が含まれる。
【００３１】
また、第１本体部１０６には、図示しない二次電池が内蔵されている。この二次電池は、第１電動送風機１０８が駆動するための電力源である。第１本体部１０６に内蔵された二次電池は、第１電気掃除機１００が充電台４００に取り付けられることで、充電される。
【００３２】
次に、第２電気掃除機２００の構成について、より詳しく説明する。第２電気掃除機２００の全体構成は、基本的には、第１電気掃除機１００の全体構成と同様である。図１および図２に示すように、第２電気掃除機２００は、主な構成要素として、第２掃除機本体部２０１、第２延長管２０２および第２ヘッド部２０３を備えている。
【００３３】
第２延長管２０２は、直線状に伸びる筒状の部材である。第２延長管２０２の一方の端部は、第２ヘッド部２０３に接続可能である。第２ヘッド部２０３は、第２延長管２０２に対して着脱自在である。また、第２延長管２０２の他方の端部は、第２掃除機本体部２０１に接続可能である。第２延長管２０２は、第２掃除機本体部２０１に対して着脱自在である。
【００３４】
第２ヘッド部２０３は、床面等の被清掃面上の塵埃を除去するためのものである。第２ヘッド部２０３は、掃除具とも呼ばれる部品である。第２ヘッド部２０３は、第２延長管２０２を介して、第２掃除機本体部２０１に対して着脱自在に接続される。第２延長管２０２および第２ヘッド部２０３の内部には、外部から第２掃除機本体部２０１に塵埃を含む空気を流入させるための風路が形成される。
【００３５】
第２掃除機本体部２０１および第２延長管２０２は、本開示に係る第２の電気掃除機に含まれる第２の本体の一例である。また、第２ヘッド部２０３は、本開示に係る第２の本体に着脱自在な第２の掃除具の一例である。
【００３６】
なお、第２ヘッド部２０３は、第２延長管２０２を介さずに、第２掃除機本体部２０１に着脱自在に接続されてもよい。第２掃除機本体部２０１と第２延長管２０２とは、一体であってもよい。すなわち、本開示に係る第２の電気掃除機に含まれる第２の本体は、本実施の形態における第２延長管２０２のような着脱自在な筒状の部材を有していなくてもよい。
【００３７】
第２掃除機本体部２０１は、第１掃除機本体部１０１と同様、含塵空気から塵埃を分離して当該塵埃を捕集する機能を有する。なお、第２掃除機本体部２０１の仕様は、第１掃除機本体部１０１の仕様と同じでもよいし、異なっていてもよい。
【００３８】
図３は、実施の形態１の第２電気掃除機２００の斜視図である。図３は、充電台４００から取り外された第２電気掃除機２００の外観を示している。第２掃除機本体部２０１は、一例として、図３に示される第２把持部２０４、第２吸込管２０５、第２本体部２０６および第２集塵部２０７を備える。
【００３９】
第２把持部２０４は、第２電気掃除機２００の使用中に使用者が手で握る部材である。第２吸込管２０５は、直線状に伸びる筒状の部材である。第２吸込管２０５の内部には、第２ヘッド部２０３および第２延長管２０２を通過した含塵空気が流れる流路が形成されている。
【００４０】
第２本体部２０６には、第２電動送風機２０８が内蔵されている。第２電動送風機２０８は、第２電気掃除機２００が塵埃を吸引するための気流を発生させる機器である。第２把持部２０４は、第２電動送風機２０８が内蔵された第２本体部２０６に対して機械的に接続されている。第２吸込管２０５は、この第２把持部２０４に連続するように形成されている。一例として、第２吸込管２０５の下端は、第２本体部２０６の下端よりも下方に位置している。
【００４１】
第２集塵部２０７は、含塵空気から塵埃を分離して、当該塵埃を捕集する集塵装置である。第２集塵部２０７は、第２本体部２０６に着脱可能である。第２本体部２０６および第２集塵部２０７の内部には、第２吸込管２０５の内部の風路と通じる風路が形成されている。第２電動送風機２０８は、第２本体部２０６の内部の風路上に設置されている。
【００４２】
一例として、第２集塵部２０７は、第２電動送風機２０８が発生させた気流によって吸引された含塵空気を旋回させて、遠心力によって塵埃を分離する。一例として、第２集塵部２０７は、サイクロン分離機能を有する。なお、第２集塵部２０７は、サイクロン式の集塵装置に限られず、例えば、紙パック式の集塵装置であってもよい。
【００４３】
図３に示すように、第２把持部２０４には、第２操作表示部２０９が設けられている。第２操作表示部２０９は、使用者が、第２電気掃除機２００を操作するためのものである。第２操作表示部２０９には、例えば、第２電気掃除機２００の運転を制御するための複数のボタンが含まれる。第２電動送風機２０８は、使用者からの第２操作表示部２０９に対する操作に応じて、予め設定された動作を行う。また、第２操作表示部２０９は、第２電気掃除機２００の状態を使用者に対して表示するものでもある。第２操作表示部２０９には、例えば、ランプおよび液晶画面等が含まれる。
【００４４】
また、第２本体部２０６には、図示しない二次電池が内蔵されている。この二次電池は、第２電動送風機２０８が駆動するための電力源である。第２本体部２０６に内蔵された二次電池は、第２電気掃除機２００が充電台４００に取り付けられることで、充電される。
【００４５】
また、図４は、実施の形態１の第２ヘッド部２０３の斜視図である。図５は、実施の形態１の第１ヘッド部１０３の斜視図である。図４および図５を参照して、本実施の形態における第１ヘッド部１０３および第２ヘッド部２０３の仕様について説明する。
【００４６】
図４および図５に示すように、本実施の形態において、第１ヘッド部１０３の外観と第２ヘッド部２０３の外観とは、異なっている。第１ヘッド部１０３の部品構成と第２ヘッド部２０３の部位構成外観とは、異なっている。第１ヘッド部１０３の仕様と第２ヘッド部２０３の仕様とは、異なっている。
【００４７】
本実施の形態において、第２ヘッド部２０３は、図４に示すように、回転ブラシ２１０を備えている。回転ブラシ２１０は、回転することによって被清掃面上の塵埃を掻き上げて除去する部品である。
【００４８】
回転ブラシ２１０は、第２ヘッド部２０３の底面に形成された第２ヘッド部吸込口２１１を臨むようにして設けられる。第２ヘッド部２０３の底面とは、第２ヘッド部２０３の使用時に被清掃面に対向する面である。第２ヘッド部吸込口２１１は、第２ヘッド部２０３内に含塵空気を取り込むための開口である。また、第２ヘッド部２０３の内部には、第２ヘッド部吸込口２１１に通じる空間であるブラシ室が形成されている。回転ブラシ２１０は、このブラシ室に設置されている。
【００４９】
第２ヘッド部２０３は、図４に示すように、ブラシ用モーター２１２を備えている。ブラシ用モーター２１２は、回転ブラシ２１０を回転させるための電動機である。回転ブラシ２１０は、このブラシ用モーター２１２によって回転させられることが可能な状態で、ブラシ室内に設定されている。回転ブラシ２１０は、ブラシ用モーター２１２が駆動すると、回転する。ブラシ用モーター２１２は、例えば、第２本体部２０６に内蔵された二次電池から供給される電力によって駆動する。
【００５０】
第１ヘッド部１０３は、図５に示すように、拭き清掃体１１０を備えている。拭き清掃体１１０は、被清掃面上の塵埃を吸着して除去する部品である。拭き清掃体１１０は、被清掃面の拭き掃除を行うための部品である。拭き清掃体１１０によって塵埃が除去される際には、第１電動送風機１０８の駆動は必須ではない。拭き清掃体１１０は、回転ブラシ２１０と仕様が異なる部品である。
【００５１】
拭き清掃体１１０は、第１ヘッド部１０３の底面に形成された第１ヘッド部吸込口１１１を臨むようにして設けられる。第１ヘッド部１０３の底面とは、第１ヘッド部１０３の使用時に被清掃面に対向する面である。第１ヘッド部吸込口１１１は、第１ヘッド部１０３内に含塵空気を取り込むための開口である。
【００５２】
使用者は、例えば、フローリングのように平滑な被清掃面の掃除を行う場合には、拭き清掃体１１０を備えた第１ヘッド部１０３および当該第１ヘッド部を備えた第１電気掃除機１００を使用する。使用者は、拭き清掃体１１０を備えた第１ヘッド部１０３および当該第１ヘッド部を備えた第１電気掃除機１００を使用することで、目につきやすい髪の毛やホコリを簡単に掃除することができる。
【００５３】
また、拭き清掃体１１０は、回転ブラシ２１０のように電動機によって駆動する部品ではない。そして、拭き清掃体１１０によって塵埃を除去する場合には、第１電動送風機１０８が駆動する必要がない。使用者は、第１ヘッド部１０３および当該第１ヘッド部１０３を備えた第１電気掃除機１００を使用することで、例えば、夜間等においても、周囲への騒音を気にすることなく掃除を行うことができる。
【００５４】
使用者は、例えば、絨毯および畳のように、塵埃が奥に入り込みやすい被清掃面の掃除を行う場合には、回転ブラシ２１０を備えた第２ヘッド部２０３および当該第２ヘッド部２０３を備えた第２電気掃除機２００を使用する。使用者は、回転ブラシ２１０を備えた第２ヘッド部２０３および当該第２ヘッド部を備えた第２電気掃除機２００を使用することで、被清掃面の奥に入り込んだ塵埃を効果的に除去することができる。
【００５５】
このように、本実施の形態では、第１ヘッド部１０３の仕様と第２ヘッド部２０３の仕様とが異なるため、使用者は、掃除を行う時間帯、被清掃面の種類および塵埃の種類に応じて、第１電気掃除機１００と第２電気掃除機２００とを使い分けることができる。
【００５６】
なお、第１電気掃除機１００が備える第１ヘッド部１０３の仕様と第２電気掃除機２００が備える第２ヘッド部２０３の仕様は、上記した例に限られない。例えば、第１ヘッド部１０３は、回転ブラシ２１０を備えていても良い。また、第２ヘッド部２０３は、拭き清掃体１１０を備えていても良い。
【００５７】
また、第１ヘッド部１０３の仕様と第２ヘッド部２０３の仕様とは、必ずしも異なる必要はない。第１ヘッド部１０３と第２ヘッド部２０３との間には互換性があってもよい。第１ヘッド部１０３は、第２掃除機本体部２０１および第２延長管２０２に着脱可能であってもよい。第２ヘッド部２０３は、第１掃除機本体部１０１および第１延長管１０２に着脱可能であってもよい。
【００５８】
次に、上記のように構成された第１電気掃除機１００の使用時の動作と第２電気掃除機２００の使用時の動作とについて、説明する。第１電気掃除機１００および第２電気掃除機２００は、使用時に充電台４００から取り外される。第１電気掃除機１００の使用者は、例えば、第１ヘッド部１０３を被清掃面に密着させた状態で、当該第１電気掃除機１００を前後に動かす。これにより、拭き清掃体１１０によって、被清掃面上の塵埃が除去される。
【００５９】
また、第１電気掃除機１００の使用者は、第１操作表示部１０９を操作して、第１電動送風機１０８を駆動させてもよい。第１電動送風機１０８が駆動することにより、塵埃を吸い込むための気流が発生する。これにより、含塵空気が、第１ヘッド部１０３の第１ヘッド部吸込口１１１から吸い込まれる。第１ヘッド部吸込口１１１から吸い込まれた含塵空気は、第１集塵部１０７へ送られる。第１集塵部１０７へ送られた含塵空気は、塵埃と空気とに分離される。当該塵埃は、第１集塵部１０７に捕集される。第１集塵部１０７によって塵埃と分離された空気、すなわち清浄空気は、第１電気掃除機１００の外部へ排出される。
【００６０】
使用者は、第１電気掃除機１００の使用後に、当該第１電気掃除機１００を充電台４００に取り付ける。第１電気掃除機１００は、不使用時に充電台４００に取り付けられて充電される。
【００６１】
また、第２電気掃除機２００の使用者は、例えば、第２ヘッド部２０３を被清掃面に密着させた状態で、第２操作表示部２０９を操作する。第２操作表示部２０９への操作に応じて、第２電動送風機２０８およびブラシ用モーター２１２が駆動する。ブラシ用モーター２１２が駆動すると、回転ブラシ２１０が回転して、被清掃面に付着した塵埃が掻き上げられる。
【００６２】
また、第２電動送風機２０８が駆動することにより、塵埃を吸い込むための気流が発生する。これにより、回転ブラシ２１０によって掻き上げられた塵埃を含む含塵空気が、第２ヘッド部２０３の第２ヘッド部吸込口２１１から吸い込まれる。第２ヘッド部吸込口２１１から吸い込まれた含塵空気は、第２集塵部２０７へ送られる。第２集塵部２０７へ送られた含塵空気は、塵埃と空気とに分離される。当該塵埃は、第２集塵部２０７に捕集される。第２集塵部２０７によって塵埃と分離された空気、すなわち清浄空気は、第２電気掃除機２００の外部へ排出される。
【００６３】
使用者は、第２電気掃除機２００の使用後に、当該第２電気掃除機２００を充電台４００に取り付ける。第２電気掃除機２００は、不使用時に充電台４００に取り付けられて充電される。
【００６４】
また、図６は、実施の形態１の電気掃除機システムの平面図である。図１、図２および図６を参照して、本実施の形態の充電台４００の構成について、より詳しく説明する。
【００６５】
上記したように、本実施の形態の充電台４００は、第１電気掃除機１００および第２電気掃除機２００を同時に支持可能に構成されている。この充電台４００は、各図に示すように、台座部４０１およびタワー部４０２を備えている。台座部４０１およびタワー部４０２は、本開示に係る充電台本体の一例である。
【００６６】
台座部４０１は、床面に設置される部材である。台座部４０１の底面は、床面に対向する。台座部４０１は、充電台４００の土台を形成する。台座部４０１は、充電台４００の中で最も下方に位置する部分である。一例として、台座部４０１は、平面視における外形が矩形状になるように形成されている。
【００６７】
タワー部４０２は、柱状の部材である。タワー部４０２は、台座部４０１の上に設けられている。タワー部４０２は、柱状の部材である。タワー部４０２の下端部は、台座部４０１に固定される。一例として、タワー部４０２は、台座部４０１底面の平面視における中央から上方に向かって直立するように構成されている。一例として、タワー部４０２は台座部４０１の上面から鉛直上向きに直立するように構成されている。また、一例として、タワー部４０２の高さ方向寸法は、台座部４０１の左右方向寸法および台座部４０１の前後方向寸法よりも長く設定されている。
【００６８】
タワー部４０２には、第１電気掃除機１００を支持可能に構成された第１支持部４０３が設けられている。また、タワー部４０２には、第２電気掃除機２００を支持可能に構成された第２支持部４０４が設けられている。第１支持部４０３と第２支持部４０４とは、同一のタワー部４０２に設けられている。
【００６９】
一例として、第１支持部４０３は、第１本体部１０６を嵌め込むことが可能な形状に形成されている。第１支持部４０３には、第１本体部１０６の外形に合わせた凹部が形成されている。この第１支持部４０３は、第１本体部１０６を掴むようにして、第１電気掃除機１００を支持する。また、一例として、第２支持部４０４は、第２本体部２０６を嵌め込むことが可能な形状に形成されている。第２支持部４０４には、第２本体部２０６の外形に合わせた凹部が形成されている。この第２支持部４０４は、第２本体部２０６を掴むようにして、第２電気掃除機２００を支持する。
【００７０】
第１支持部４０３には、第１本体部１０６に設けられた端子と接続可能な端子が設けられている。第１本体部１０６が第１支持部４０３に取り付けられると、第１支持部４０３に設けられた端子と第１本体部１０６に設けられた端子とが電気的に接続する。これにより、第１電気掃除機１００は、充電台４００に電気的に接続し、充電される。
【００７１】
第２支持部４０４には、第２本体部２０６に設けられた端子と接続可能な端子が設けられている。第２本体部２０６が第２支持部４０４に取り付けられると、第２支持部４０４に設けられた端子と第２本体部２０６に設けられた端子とが電気的に接続する。これにより、第２電気掃除機２００は、充電台４００に電気的に接続し、充電される。
【００７２】
なお、第１電気掃除機１００と充電台４００とを電気的に接続させるための機構は、上記の各端子に限られない。第１電気掃除機１００と充電台４００とを電気的に接続させるための機構は、例えば、台座部４０１およびタワー部４０２等に設けられていてもよい。同様に、第２電気掃除機２００と充電台４００とを電気的に接続させるための機構は、例えば、台座部４０１およびタワー部４０２等に設けられていてもよい。
【００７３】
上記したように、本実施の形態の充電台４００は、同一のタワー部４０２に設けられた第１支持部４０３および第２支持部４０４を備えている。このため、本実施の形態においては、第１電気掃除機１００と第２電気掃除機２００とが１つの充電台４００によって支持される。このため、本実施の形態であれば、縦型の電気掃除機を複数台設置する場合に必要な設置スペースを、従来に比べてより小さくすることができる。
【００７４】
また、本実施の形態の電気掃除機システム１であれば、第１電気掃除機１００を使用する第１の使用者と第２電気掃除機２００を使用する第２の使用者とが同時に掃除を行うことができる。本実施の形態であれば、複数人の使用者が同時に掃除を行うことができるため、掃除を完了するまでに必要な時間を短縮することができる。
【００７５】
また、本実施の形態において、第１電気掃除機１００と第２電気掃除機２００とが充電台４００によって支持される際、第１ヘッド部１０３および第２ヘッド部２０３は、台座部４０１に載置される。これにより、第１電気掃除機１００と第２電気掃除機２００とは、より安定した状態で支持される。
【００７６】
なお、第１ヘッド部１０３および第２ヘッド部２０３は、第１電気掃除機１００と第２電気掃除機２００とが充電台４００によって支持される際、台座部４０１から浮いた状態であってもよい。また、例えば、タワー部４０２は、第１ヘッド部１０３および第２ヘッド部２０３に接触して第１ヘッド部１０３および第２ヘッド部２０３を支持するように形成されていてもよい。
【００７７】
また、図１、図２および図６に示すように、本実施の形態において、第１支持部４０３および第２支持部４０４は、タワー部４０２を取り囲むように設けられている。第１支持部４０３と第２支持部４０４とは、タワー部４０２の側面から、それぞれ別方向に伸びるように構成されている。第１支持部４０３に取り付けられた第１電気掃除機１００と第２支持部４０４に取り付けられた第２電気掃除機２００とは、充電台４００を囲うように配置される。上記のような構成によれば、安定した状態で自立可能な電気掃除機システム１が得られる。また、使用者は、充電台４００が倒れづらい安定した状態で、第１電気掃除機１００および第２電気掃除機２００を着脱することができる。
【００７８】
また、本実施の形態において、第１支持部４０３および第２支持部４０４は左右に並ぶように配置されている。図１、図２および図６に示すように、本実施の形態において、第１支持部４０３によって支持された第１電気掃除機１００は、第２支持部４０４によって支持された第２電気掃除機２００の隣に並んでいる。第１電気掃除機１００および第２電気掃除機２００が隣同士に並ぶことで、使用者は、第１電気掃除機１００および第２電気掃除機２００を容易に選択的に取り外すことができる。
【００７９】
また、図６に示すように、第１支持部４０３によって第１電気掃除機１００が支持されて且つ第２支持部４０４によって第２電気掃除機２００が支持されている際、第１ヘッド部１０３は第２ヘッド部２０３の隣に並んでいる。そして、第１支持部４０３によって第１電気掃除機１００が支持されて且つ第２支持部４０４によって第２電気掃除機２００が支持されている際、平面視における第１ヘッド部１０３の長手方向と平面視における第２ヘッド部２０３の長手方向とが同一の方向に沿っている。上記のような構成によれば、使用者は、第１電気掃除機１００を取り外す場合も第２電気掃除機２００を取り外す場合も、同じ方向に力をかければよい。使用者は、第１電気掃除機１００を取り外す場合も第２電気掃除機２００を取り外す場合も、同じ方向に手首等をひねればよい。本実施の形態によれば、より使い勝手のよい充電台４００および電気掃除機システム１が得られる。
【００８０】
また、充電台４００は、一例として、室内の空気を清浄する空気清浄機能を有していてもよい。空気清浄機能を有する充電台４００は、空気を吸いこむための吸気口４０５と、吸気口４０５から吸い込まれた空気中の塵埃を捕集するフィルター４０６と、フィルター４０６を通過した空気を排出するための排気口４０７と、吸気口４０５から排気口４０７へ向かう気流を発生させるファン４０８と、を備えている。
【００８１】
吸気口４０５は、例えば、台座部４０１に形成される。これにより、床面付近の塵埃が効率よく吸い込まれる。フィルター４０６およびファン４０８は、例えば、タワー部４０２に内蔵される。また、排気口４０７は、例えば、タワー部４０２の側面に形成される。
【００８２】
上記のように構成された充電台４００は、第１電気掃除機１００および第２電気掃除機２００を充電する装置としての機能と空気清浄機としての機能とを両立することができる。また、上記のように構成された充電台４００は、第１電気掃除機１００および第２電気掃除機２００の使用時に室内の空気中に舞い上がる塵埃を除去することができる。このため、一度舞い上げられた塵埃が再度床面に落ちて付着することが抑制される。上記のように構成された充電台４００であれば、床面に溜まる塵埃の量を抑制し、使用者が床面を掃除する頻度を低減することができる。なお、本開示に係る充電台４００は、必ずしも空気清浄機能を有していなくてもよい。
【００８３】
次に、実施の形態１の変形例について説明する。図７は、実施の形態１の電気掃除機システムの第１の変形例を示す平面図である。タワー部４０２には、図７に示すように、凹部４０２ａが形成されていてもよい。図７に示す変形例においては、第１の凹部４０２ａと第２の凹部４０２ａとが、タワー部４０２に形成されている。凹部４０２ａは、平面視におけるタワー部４０２の中心に向かって窪んだ凹状の部分である。凹部４０２ａは、タワー部４０２の側面に形成されている。
【００８４】
第１の凹部４０２ａには、第１支持部４０３が設けられる。第２の凹部４０２ａには、第２支持部４０４が設けられる。この第１の変形例であれば、第１電気掃除機１００および第２電気掃除機２００は、タワー部４０２の側面に形成された窪んだ空間に収納される。上記のような構成によれば、電気掃除機システム１全体の幅方向、すなわち水平方向寸法をより小さくすることができる。この第１の変形例によれば、例えば、家具同士の間などの狭いスペースにも設置することができる電気掃除機システム１が得られる。
【００８５】
また、図８および図９は、実施の形態１の電気掃除機システム１の第２の変形例を示す正面図である。図８は、第１電気掃除機１００および第２電気掃除機２００が充電台４００に取り付けられた状態を示している。図９は、第１電気掃除機１００および第２電気掃除機２００が充電台４００から取り外された状態を示している。
【００８６】
この第２の変形例において、第１本体部１０６は、第１の凹部４０２ａに設けられた第１支持部４０３に着脱される。また、第２本体部２０６は、第２の凹部４０２ａに設けられた第２支持部４０４に着脱される。
【００８７】
そして、この第２の変形例において、第１支持部４０３に支持された第１本体部１０６は、第２支持部４０４に支持された第２本体部２０６よりも上方に位置している。この第２の変形例において、第２本体部２０６は、床面の近傍に配置される。第１本体部１０６は、床面から離れた位置に配置される。床面から第２本体部２０６の底面までの距離は、床面から第１本体部１０６の底面までの距離よりも短い。第１支持部４０３に支持された第１本体部１０６と第２支持部４０４に支持された第２本体部２０６とは、正面視におけるタワー部４０２の中心を上下から挟むように配置されている。このような第２の変形例の構成によれば、電気掃除機システム１全体の寸法を、より小さくすることができる。
【００８８】
実施の形態２．
次に、実施の形態２について説明する。実施の形態１と同一または相当する部分については、同じ符号を付し、説明を簡略化または省略する。図１０および図１１は、実施の形態２の電気掃除機システム２の正面図である。図１２は、実施の形態２の電気掃除機システム２の平面図である。
【００８９】
本実施の形態の電気掃除機システム２は、図１０から図１２に示すように、第１電気掃除機１００と、充電台４００と、を備えている。また、電気掃除機システム２は、第２ヘッド部２０３を備えている。
【００９０】
第１電気掃除機１００は、主な構成要素として、第１掃除機本体部１０１、第１延長管１０２および第１ヘッド部１０３を備えている。充電台４００は、充電台本体の一例である台座部４０１およびタワー部４０２を備えている。タワー部４０２には、第１支持部４０３が設けられている。第１支持部４０３は、タワー部４０２に形成された凹部４０２ａに設けられている。
【００９１】
本実施の形態において第１ヘッド部１０３および第２ヘッド部２０３は、共に、第１延長管１０２に着脱自在に構成されている。第１延長管１０２には、第１ヘッド部１０３および第２ヘッド部２０３が着脱自在な接続部１０２ａが形成されている。接続部１０２ａは、本開示に係る本体接続部の一例である。
【００９２】
本実施の形態において第１ヘッド部１０３には、接続部１０２ａに接続可能な第１ヘッド部接続部１０３ａが形成されている。また、第２ヘッド部２０３には、接続部１０２ａに接続可能な、第２ヘッド部接続部２０３ａが形成されている。第１ヘッド部接続部１０３ａは、本開示に係る第１掃除具接続部の一例である。また、第２ヘッド部接続部２０３ａは、本開示に係る第２掃除具接続部の一例である。
【００９３】
第１支持部４０３は、上記の接続部１０２ａが下方を向いた状態で第１掃除機本体部１０１を支持可能に構成されている。図１０に示すように、第１掃除機本体部１０１が充電台４００に取り付けられると、接続部１０２ａは下方を向く。
【００９４】
また、本実施の形態において、充電台４００は、第１ヘッド部１０３と、第２ヘッド部２０３と、第１ヘッド部１０３等の掃除具が取り外された状態の第１電気掃除機１００と、を同時に支持可能に構成されている。充電台本体の一例である台座部４０１およびタワー部４０２は、第１ヘッド部１０３と第２ヘッド部２０３とを同時に支持可能に構成されたことを特徴としている。
【００９５】
第１ヘッド部１０３と第２ヘッド部２０３とは、例えば、台座部４０１に載置される。第１ヘッド部１０３と第２ヘッド部２０３とは、台座部４０１によって、下方から支持される。なお、第１ヘッド部１０３と第２ヘッド部２０３とは、例えば、台座部４０１から浮いた状態で、タワー部４０２によって支持されてもよい。
【００９６】
さらに、充電台本体の一例である台座部４０１およびタワー部４０２は、図１０に示すように、第１ヘッド部接続部１０３ａが上方を向いた状態で第１ヘッド部１０３を支持可能である。また、充電台本体の一例である台座部４０１およびタワー部４０２は、図１０に示すように、第２ヘッド部接続部２０３ａが上方を向いた状態で第２ヘッド部２０３を支持可能である。
【００９７】
図１０に示すように、本実施の形態の充電台４００は、第１掃除機本体部１０１、第１ヘッド部１０３および第２ヘッド部２０３を、同時に支持可能である。このため、本実施の形態であれば、縦型の電気掃除機および複数の掃除具を設置する場合に必要な設置スペースを、従来に比べてより小さくすることができる。
【００９８】
また、図１０に示すように、第１掃除機本体部１０１が充電台４００に取り付けられると、接続部１０２ａは下方を向く。第１ヘッド部接続部１０３ａが充電台４００に取り付けられると、第１ヘッド部接続部１０３ａが上方を向く。第２ヘッド部接続部２０３ａが充電台４００に取り付けられると、第２ヘッド部接続部２０３ａが上方を向く。図１０に示す状態において、接続部１０２ａと第１ヘッド部接続部１０３ａとは対向する。図１０に示す状態において、接続部１０２ａと第２ヘッド部接続部２０３ａとは対向する。一例として、図１０に示す状態において、接続部１０２ａは第１ヘッド部接続部１０３ａおよび第２ヘッド部接続部２０３ａよりも上方に位置している。
【００９９】
上記のような構成によれば、使用者は、第１掃除機本体部１０１を充電台４００から取り外した後、容易な動作で接続部１０２ａに第１ヘッド部接続部１０３ａまたは第２ヘッド部接続部２０３ａを接続させることができる。図１１は、第１掃除機本体部１０１が充電台４００から取り外された後に、接続部１０２ａに第１ヘッド部接続部１０３ａが接続された状態、すなわち、第１延長管１０２に第１ヘッド部１０３が接続された状態を示している。
【０１００】
また、図１０および図１２に示すように、第１ヘッド部１０３および第２ヘッド部２０３が充電台４００によって支持されている際、タワー部４０２は第１ヘッド部１０３と第２ヘッド部２０３との間に位置している。第１ヘッド部１０３および第２ヘッド部２０３は、平面視においてタワー部４０２を挟むように配置されている。そして、図１２に示すように、第１ヘッド部１０３および第２ヘッド部２０３が充電台４００によって支持されている際、平面視における第１ヘッド部１０３の長手方向と平面視における第２ヘッド部２０３の長手方向とは、同一の方向に沿っている。上記のような構成によれば、電気掃除機システム１全体の幅方向、すなわち水平方向寸法をより小さくすることができる。
【０１０１】
なお、実施の形態１の充電台４００は、３台以上の電気掃除機を同時に支持可能に構成されていてもよい。実施の形態２の充電台４００は、３つ以上の掃除具を同時に支持可能に構成されてもよい。また、実施の形態１の電気掃除機システム１の構成と実施の形態２の電気掃除機システム２の構成とは、本開示の趣旨を逸脱しないかぎり、組み合わせることができる。例えば、実施の形態１において、第１電気掃除機１００と第２電気掃除機２００とは、実施の形態２の第１ヘッド部１０３および第２ヘッド部２０３のように、タワー部４０２を挟むように配置された状態で支持されてもよい。また、実施の形態２において、第１ヘッド部１０３と第２ヘッド部２０３とは、隣に並んだ状態で支持されてもよい。
【産業上の利用可能性】
【０１０２】
本開示に係る充電台は、例えば、室内を清掃する電気掃除機を充電するために利用することができる。また、本開示に係る電気掃除機システムは、例えば、室内等の清掃に利用することができる。
【符号の説明】
【０１０３】
１  電気掃除機システム、  ２  電気掃除機システム、  １００  第１電気掃除機、  １０１  第１掃除機本体部、  １０２  第１延長管、  １０２ａ  接続部、  １０３  第１ヘッド部、  １０３ａ  第１ヘッド部接続部、  １０４  第１把持部、  １０５  第１吸込管、  １０６  第１本体部、  １０７  第１集塵部、  １０８  第１電動送風機、  １０９  第１操作表示部、  １１０  拭き清掃体、  １１１  第１ヘッド部吸込口、  ２００  第２電気掃除機、  ２０１  第２掃除機本体部、  ２０２  第２延長管、  ２０３  第２ヘッド部、  ２０３ａ  第２ヘッド部接続部、  ２０４  第２把持部、  ２０５  第２吸込管、  ２０６  第２本体部、  ２０７  第２集塵部、  ２０８  第２電動送風機、  ２０９  第２操作表示部、  ２１０  回転ブラシ、  ２１１  第２ヘッド部吸込口、  ２１２  ブラシ用モーター、  ４００  充電台、  ４０１  台座部、  ４０２  タワー部、  ４０２ａ  凹部、  ４０３  第１支持部、  ４０４  第２支持部、  ４０５  吸気口、  ４０６  フィルター、  ４０７  排気口、  ４０８  ファン
【図１】
2020090008.tif 000003
【図２】
2020090008.tif 000004
【図３】
2020090008.tif 000005
【図４】
2020090008.tif 000006
【図５】
2020090008.tif 000007
【図６】
2020090008.tif 000008
【図７】
2020090008.tif 000009
【図８】
2020090008.tif 000010
【図９】
2020090008.tif 000011
【図１０】
2020090008.tif 000012
【図１１】
2020090008.tif 000013
【図１２】
2020090008.tif 000014
【手続補正書】
【提出日】令和3年1月27日(2021.1.27)
【手続補正１】
【補正対象書類名】特許請求の範囲
【補正対象項目名】全文
【補正方法】変更
【補正の内容】
【特許請求の範囲】
【請求項１】
床面に設置される台座部と、
前記台座部の上に設けられた柱状のタワー部と、
前記タワー部に設けられ、縦型の第１の電気掃除機を支持可能な第１支持部と、
前記タワー部に設けられ、縦型の第２の電気掃除機を支持可能な第２支持部と、
を備え、
前記第１の電気掃除機には、被清掃面上の塵埃を除去する第１の掃除具が含まれ、
前記第２の電気掃除機には、被清掃面上の塵埃を除去する第２の掃除具が含まれ、
前記第１支持部によって前記第１の電気掃除機が支持されて且つ前記第２支持部によって前記第２の電気掃除機が支持されている際、前記第１の掃除具は前記第２の掃除具の隣に並び、平面視における前記第１の掃除具の長手方向と平面視における前記第２の掃除具の長手方向とが同一の方向に沿っている充電台。
【請求項２】
前記第１の電気掃除機には、第１の電動送風機が内蔵された第１の本体と、当該第１の本体に着脱自在である第１の掃除具と、が含まれ、
前記第２の電気掃除機には、第２の電動送風機が内蔵された第２の本体と、当該第２の本体に着脱自在である第２の掃除具と、が含まれ、
前記第１の掃除具の仕様は、前記第２の掃除具の仕様とは異なる請求項１に記載の充電台。
【請求項３】
前記第１支持部によって支持された前記第１の電気掃除機は、前記第２支持部によって支持された前記第２の電気掃除機の隣に並ぶ請求項１または請求項２に記載の充電台。
【請求項４】
前記タワー部には、平面視における当該タワー部の中心に向かって窪んだ第１の凹部および第２の凹部が形成され、
前記第１支持部は前記第１の凹部に設けられ、
前記第２支持部は前記第２の凹部に設けられている請求項１から請求項３の何れか１項に記載の充電台。
【請求項５】
床面に設置される台座部および当該台座部の上に設けられた柱状のタワー部を有する充電台本体と、
前記タワー部に設けられ、電動送風機が内蔵された縦型の電気掃除機の本体を支持可能な支持部と、
を備え、
前記本体には、被清掃面上の塵埃を除去する第１の掃除具および被清掃面上の塵埃を除去する第２の掃除具が着脱自在である本体接続部が形成され、
前記第１の掃除具には、前記本体接続部に接続可能な第１掃除具接続部が形成され、
前記第２の掃除具には、前記本体接続部に接続可能な第２掃除具接続部が形成され、
前記支持部は、前記本体接続部が下方を向いた状態で前記本体を支持可能に構成され、
前記充電台本体は、前記第１掃除具接続部が上方を向いた状態で前記第１の掃除具を支持可能で且つ前記第２掃除具接続部が上方を向いた状態で前記第２の掃除具を支持可能に構成され、
前記第１の掃除具および前記第２の掃除具が前記充電台本体に支持されている際、前記タワー部は当該第１の掃除具と当該第２の掃除具との間に位置しており、平面視における当該第１の掃除具の長手方向と平面視における当該第２の掃除具の長手方向とが同一の方向に沿っている充電台。
【請求項６】
前記第１の掃除具の仕様は、前記第２の掃除具の仕様とは異なる請求項５に記載の充電台。
【請求項７】
前記タワー部には、平面視における当該タワー部の中心に向かって窪んだ凹部が形成され、
前記支持部は前記凹部に設けられている請求項５または請求項６に記載の充電台。
【請求項８】
空気を吸いこむための吸気口と、
前記吸気口から吸い込まれた空気中の塵埃を捕集するフィルターと、
前記フィルターを通過した空気を排出するための排気口と、
前記吸気口から前記排気口へ向かう気流を発生させるファンと、
を備えた請求項１から請求項７の何れか１項に記載の充電台。
【請求項９】
請求項１に記載の充電台と、
前記第１の電気掃除機と、
前記第２の電気掃除機と、
を備える電気掃除機システム。
【請求項１０】
請求項５に記載の充電台と、
前記電気掃除機の前記本体と、
前記第１の掃除具と、
前記第２の掃除具と、
を備える電気掃除機システム。
【請求項１１】
請求項２または請求項６に記載の充電台と、
前記第１の掃除具と、
前記第２の掃除具と、
を備え、
前記第１の掃除具または前記第２の掃除具は、被清掃面上の塵埃を掻き上げて除去する回転ブラシを備えている電気掃除機システム。
【請求項１２】
請求項２または請求項６に記載の充電台と、
前記第１の掃除具と、
前記第２の掃除具と、
を備え、
前記第１の掃除具または前記第２の掃除具は、被清掃面上の塵埃を吸着して除去する拭き清掃体を備えている電気掃除機システム。
【請求項１３】
前記充電台は、
空気を吸いこむための吸気口と、
前記吸気口から吸い込まれた空気中の塵埃を捕集するフィルターと、
前記フィルターを通過した空気を排出するための排気口と、
前記吸気口から前記排気口へ向かう気流を発生させるファンと、
を備えている請求項９から請求項１２の何れか１項に記載の電気掃除機システム。
【手続補正２】
【補正対象書類名】明細書
【補正対象項目名】０００６
【補正方法】変更
【補正の内容】
【０００６】
本発明に係る充電台は、床面に設置される台座部と、台座部の上に設けられた柱状のタワー部と、タワー部に設けられ、縦型の第１の電気掃除機を支持可能な第１支持部と、タワー部に設けられ、縦型の第２の電気掃除機を支持可能な第２支持部と、を備える。本発明に係る電気掃除機システムは、上記のように構成された充電台と、縦型の第１の電気掃除機と、縦型の第２の電気掃除機と、を備える。第１の電気掃除機には、被清掃面上の塵埃を除去する第１の掃除具が含まれる。第２の電気掃除機には、被清掃面上の塵埃を除去する第２の掃除具が含まれる。第１支持部によって第１の電気掃除機が支持されて且つ第２支持部によって第２の電気掃除機が支持されている際、第１の掃除具は第２の掃除具の隣に並び、平面視における第１の掃除具の長手方向と平面視における第２の掃除具の長手方向とが同一の方向に沿っている。
また、本発明に係る充電台は、床面に設置される台座部および当該台座部の上に設けられた柱状のタワー部を有する充電台本体と、タワー部に設けられ、電動送風機が内蔵された縦型の電気掃除機の本体を支持可能な支持部と、を備える。電気掃除機の本体には、被清掃面上の塵埃を除去する第１の掃除具および被清掃面上の塵埃を除去する第２の掃除具が着脱自在である本体接続部が形成される。第１の掃除具には、本体接続部に接続可能な第１掃除具接続部が形成され、第２の掃除具には、本体接続部に接続可能な第２掃除具接続部が形成される。支持部は、本体接続部が下方を向いた状態で電気掃除機の本体を支持可能に構成される。充電台本体は、第１掃除具接続部が上方を向いた状態で第１の掃除具を支持可能で且つ第２掃除具接続部が上方を向いた状態で第２の掃除具を支持可能に構成されている。第１の掃除具および第２の掃除具が充電台本体に支持されている際、タワー部は当該第１の掃除具と当該第２の掃除具との間に位置しており、平面視における当該第１の掃除具の長手方向と平面視における当該第２の掃除具の長手方向とが同一の方向に沿っている。
本発明に係る電気掃除機システムは、上記のように構成された充電台と、電動送風機が内蔵された縦型の電気掃除機の本体と、第１の掃除具と、第２の掃除具と、を備える。
【国際調査報告】
2020090008.tif 000015
2020090008.tif 000016
2020090008.tif 000017
2020090008.tif 000018